(57)【要約】【課題】返送時に体積を小さくしてかつ仕切り材を納めることができるようにするとともに、底の方に物を収納したり、底の方に収納された物を取り出したりする作業を容易にする。【解決手段】直方体を形成するように４面の下板Ｓ１Ｂ，Ｓ２Ｂ，Ｓ３Ｂ，Ｓ４Ｂがパレット部１に立設され、各下板Ｓ１Ｂ，Ｓ２Ｂ，Ｓ３Ｂ，Ｓ４Ｂには上板Ｓ１Ａ，Ｓ２Ａ，Ｓ３Ａ，Ｓ４Ａが下板Ｓ１Ｂ，Ｓ２Ｂ，Ｓ３Ｂ，Ｓ４Ｂに対して１８０度折りたたみできるように連結されてなり、上板Ｓ２Ａ，Ｓ４Ａは、蝶番の片方の翼板１０ａを上下にスライド可能とした平蝶番により下板Ｓ２Ｂ，Ｓ４Ｂに連結され、上板Ｓ２Ａ，Ｓ４Ａを内側に９０度折りたたむことができる。【選択図】図１
0003129686.tif 000002
【実用新案登録請求の範囲】
【請求項１】
直方体を形成するように４面の下板がパレット部に立設され、各下板には上板が下板に対して１８０度折りたたみできるように連結されてなるリターナブルコンテナ。
【請求項２】
フォークリフトのフォーク挿入面に位置する上板が起立状態から外側には１８０度及び内側には９０度折りたたみ可能に連結されてなる請求項１に記載のリターナブルコンテナ。
【請求項３】
上板が下板に蝶番によって連結され、フォーク挿入面に位置する上板を連結する蝶番は片方の翼板が上下にスライド可能に取り付けられてなる請求項１又は２に記載のリターナブルコンテナ。
【請求項４】
フォークリフトのフォーク挿入側に位置する上板の一方はその折りたたみの位置が他方の折りたたみ位置より板厚だけ低い位置に形成されてなる請求項１、２又は３に記載のリターナブルコンテナ。
【考案の詳細な説明】
【技術分野】
【０００１】
本考案は、物品を収納して搬送するときに使用され、用済み後には折りたたんで体積を小さくして返送することができるリターナブルコンテナに関するものである。
【背景技術】
【０００２】
例えば、自動車のエアバッグ本体など小型の部品類は、１個のコンテナに複数個かつ多段に収納されて搬送される。
【０００３】
かかる部品類の搬送には、返送時に折りたたんで体積を小さくすることができるように折りたたみ式のリターナブルコンテナが用いられる（例えば特開２００４−３５９２８１号公報参照）。
【特許文献１】特開２００４−３５９２８１号公報
【考案の開示】
【考案が解決しようとする課題】
【０００４】
１個のリターナブルコンテナに複数個かつ多段に収納するためには仕切り材を必要とするが、従来の折りたたみ式のリターナブルコンテナは、折りたたんだ状態で内部に物を収納する余地がなく、返送時に仕切り材を収納するような考慮がなされていなかった。
そのため、仕切り材は、リターナブルコンテナとは別個にまとめられ、又はリターナブルコンテナを折りたたむことなくその中に仕切り材を納めて返送するほかなかったのである。また、リターナブルコンテナが大型化すると、底の方に物を収納したり、底の方に収納された物を取り出したりする作業がやりにくくくなる。
【０００５】
請求項１の考案が解決しようとする課題は、返送時に体積を小さくしてかつ仕切り材を納めることができるようにするとともに、底の方に物を収納したり、底の方に収納された物を取り出したりする作業を容易にすることである。
【０００６】
かかる課題を解決したリターナブルコンテナは、フォークリフトのフォーク挿入作業ができない場合がある。そこで、請求項２及び３の考案が解決しようとする課題は、返送時に体積を小さくしてかつ仕切り材を納めることができるようにしてかつフォークリフトによる荷扱い作業を容易にすることである。
【課題を解決するための手段】
【０００７】
請求項１の考案は、直方体を形成するように４面の下板Ｓ１Ｂ、Ｓ２Ｂ、Ｓ３Ｂ、Ｓ４Ｂがパレット部１に立設され、各下板Ｓ１Ｂ、Ｓ２Ｂ、Ｓ３Ｂ、Ｓ４Ｂには上板Ｓ１Ａ、Ｓ２Ａ、Ｓ３Ａ、Ｓ４Ａが下板Ｓ１Ｂ、Ｓ２Ｂ、Ｓ３Ｂ、Ｓ４Ｂに対して１８０度折りたたみできるように連結されてなるリターナブルコンテナである。
【０００８】
請求項２の考案は、請求項１のリターナブルコンテナにおけるフォークリフトのフォーク挿入面Ｘに位置する上板Ｓ２Ａ，Ｓ４Ａを、起立状態から外側に１８０度及び内側に９０度折りたたみ可能に連結されることを特徴とする。
【０００９】
折りたたみ可能な連結手段としては、耐久性や強度の観点から蝶番が好ましく用いられる。そして、上板Ｓ２Ａ，Ｓ４Ａを内側に９０度折りたたむことは片方の翼板１０ａを上下にスライド可能とした平蝶番により連結することにより実現される。
【００１０】
そして、フォークリフトのフォーク挿入面に位置する上板の一方（Ｓ２Ａ又はＳ４Ａ）はその折りたたみの位置Ｌが他方（Ｓ４Ａ又はＳ２Ａ）の折りたたみ位置より板厚分だけ低い位置に形成されるのが好ましい。
【考案の効果】
【００１１】
本考案のリターナブルコンテナは、上板Ｓ１Ａ、Ｓ２Ａ、Ｓ３Ａ、Ｓ４Ａを折りたたむことができるので、上板Ｓ１Ａ、Ｓ２Ａ、Ｓ３Ａ、Ｓ４Ａを折りたたむことにより底の方に物を収納したり、底の方に収納された物を取り出したりする作業を容易にすることができる。そして、下板により構成される空間内に仕切り材を収納して返送することが可能となる。
【００１２】
本考案になるリターナブルコンテナにおいて、上板Ｓ１Ａ、Ｓ２Ａ、Ｓ３Ａ、Ｓ４Ａを下板Ｓ１Ｂ、Ｓ２Ｂ、Ｓ３Ｂ、Ｓ４Ｂに対して１８０度折りたたんだとき上板の上縁がパレット部の載置面近くまで垂下するようにするのが好ましい。しかしながら、返送時に上板が垂下したままであると垂下した上板によってフォークリフトのフォーク挿入口が閉塞されてしまう。上板Ｓ２Ａ，Ｓ４Ａを内側に９０度折りたたむことにより、かかる問題点も解消される。
【００１３】
フォークリフトのフォーク挿入面に位置する上板一方（Ｓ２Ａ又はＳ４Ａ）はその折りたたみの位置Ｌが他方（Ｓ４Ａ又はＳ２Ａ）の折りたたみ位置より板厚分だけ低い位置に形成することにより、上板を内側に折りたたんだときに、上板相互が斜めになった状態で重ならないようにできる。
【考案を実施するための最良の形態】
【００１４】
以下、本考案のリターナブルコンテナの構成及びその使用方法を図１〜図６により説明する。
【００１５】
図１は本考案リターナブルコンテナから、収納された物（ただし当該物の図示は省略した）を取り出す作業における初期状態を示す斜視図である。
なお、図１において蓋１１は浮かせた状態で図示されているが、輸送中は側面板の上縁に密着され、適宜の固定手段１２によって固定されるものである。
【００１６】
パレット部１は、例えばアルミニウムなどで構成され、角パイプ１ａの上に断面Ｌ字形のフレーム１ｂを４周に配置固定し、その上に底板が固定されている。なお、４隅にはガセット１ｃを配置固定して補強されている。角パイプ１ａ、フレーム１ｂ、ガセット１ｃの材質としては、アルミニウム、スチールが好ましい。
【００１７】
側面板はＳ１は上板Ｓ１Ｂ及び上板Ｓ１Ａから構成される。
【００１８】
下板Ｓ１Ｂは、パレット部１のガセット１ｃに立設した２本の縦フレーム１ｄ，１ｄと該縦フレーム１ｄ，１ｄの上端間に横架された横フレーム１ｅ及びパレット部に、プラスチックダンボール板１ｆをリベットにより固着して構成される。
他の下板Ｓ２Ｂ、Ｓ３Ｂ及びＳ４Ｂも同様の構成である。そして、これら４枚の下板Ｓ１Ｂ、Ｓ２Ｂ、Ｓ３Ｂ及びＳ４Ｂ並びにパレット部の底板により直方体状の空間を形成する。
なお、フォークリフトのフォーク挿入側からみて背面を構成する下板Ｓ４Ｂは、フォークリフトのフォーク挿入側の側面を構成する下板Ｓ２Ｂよりも板厚分だけ、上縁が低くなる寸法となっている。
この実施の形態においては、長手方向の側面がフォーク挿入面とされているが、これに限るものではない。
【００１９】
上板Ｓ１Ａは、上板フレーム１ｇにプラスチックダンボール板１ｈを固着してなり、下板Ｓ１Ｂとは別体に構成されるほか、下板Ｓ１Ｂと同様に構成される。
他の上板Ｓ２Ａ、Ｓ３Ａ及びＳ４Ａも同様である。そして、これら４枚の上板のうちフォークリフトのフォーク挿入側の側面を構成する上板Ｓ２Ａ及びその背面の上板Ｓ４Ａは、翼板が取り付け面に対してスライド可能とした平蝶番により下板Ｓ２Ｂ、Ｓ４Ｂに連結され、他の上板Ｓ１Ａ及びＳ３Ａは通常の蝶番１０により下板Ｓ１Ｂ、Ｓ３Ｂに連結される。
なお、翼板１０ａのスライド長は、少なくとも上板Ｓ２Ａ、Ｓ４Ａの板厚と同じ長さが必要とされる。
さらに、フォークリフトのフォーク挿入側前面にある上板Ｓ２Ａには取っ手１３を設けておくのが好ましい。
４枚の上板Ｓ１Ａ、Ｓ２Ａ、Ｓ３Ａ及びＳ４Ａは、コーナー部において隣接する上板間を嵌め外し自在の固定手段により連結され、起立状態を保持するようにされる。
【００２０】
蓋１１は、リターナブルコンテナの開口部を閉塞する機能を有すればよく、例えば、側面板と同様にプラスチックダンボール板１１ａとアルミニウムフレーム材１１ｂとで構成される。
【００２１】
次に、荷受け先で本考案リターナブルコンテナから収納された物を取り出し、その後返送するまでの過程を説明する。なお、以下の説明において前側、背面、右側、左側は、図面上における前側、背面、右側、左側を意味しており、相対的である。
【００２２】
Ａ）まず蓋１１を取り外す（図１参照）。
Ｂ）次に、前側の上板Ｓ２Ａと左右の上板Ｓ１Ａ及びＳ３Ａとの間の固定を解除して、上板Ｓ２Ａを前面外側に倒すように折りたたむ（図２参照）。
Ｃ）収納された物を取り出す。ただし、上方に積み込まれた物の状態によっては、この後の、Ｄ）又はＥ）の過程の後に取り出すようにすることもできる。
Ｄ）次に、左側の上板Ｓ１Ａと背面側の上板Ｓ４Ａとの間の固定を解除して、上板Ｓ１Ａを左側面外側に倒すように折りたたむ（図３参照）。
上記Ｂ）又はＣ）の過程は逆順であっても差し支えないことはいうまでもない。
Ｅ）次に、右側の上板Ｓ３Ａと背面側の上板Ｓ４Ａとの間の固定を解除して、上板Ｓ３Ａを左側面外側に、また、背面側の上板Ｓ４Ａを背面外側に倒すように折りたたむ（図４参照）。
【００２３】
Ｆ）かくして収納された物を全て取り出した後、仕切り材をコンテナの中に収納する。
Ｇ）フォークリフトのフォーク挿入側からみて背面側の上板Ｓ４Ａを引き起こす。
Ｈ）上板Ｓ４Ａを引き起した状態から上方に引き上げて内側に倒すように折りたたむ。
Ｉ）フォークリフトのフォーク挿入側の上板Ｓ２Ａを引き起こす（図５参照）。
Ｊ）上板Ｓ２Ａを上板Ｓ４Ａの上に倒すように折りたたむ（図６参照）。
Ｋ）蓋１１をかぶせ、固定する。
Ｌ）左右の上板Ｓ１Ａ及びＳ３Ａを固定する。この過程はＣ）又はＤ）の後すぐであってもよい。
【００２４】
かくして、体積をほぼ２分の１にして返送することができる。
【図面の簡単な説明】
【００２５】
【図１】リターナブルコンテナから収納物を取り出す作業における初期状態を示す斜視図である。
【図２】上板Ｓ２Ａを前面外側に倒すように折りたたんだ状態の斜視図である。
【図３】上板Ｓ１Ａを左側面外側に倒すように折りたたんだ状態の斜視図である。
【図４】上板Ｓ３Ａを左側面外側に、また、背面側の上板Ｓ４Ａを背面外側に倒すように折りたたんだ状態の斜視図である。
【図５】前側の上板Ｓ２Ａを引き起こした状態の斜視図である。
【図６】前側の上板Ｓ２Ａを引き起した状態から内側に倒すように折りたたんだ状態の斜視図である。
【符号の説明】
【００２６】
１      パレット部
１ａ    角パイプ
１ｂ    フレーム
１ｃ    ガセット
１ｄ    縦フレーム
１ｅ    横フレーム
１ｆ、１ｈ    プラスチックダンボール板
１ｇ    上板フレーム
Ｓ１Ａ、Ｓ２Ａ、Ｓ３Ａ、Ｓ４Ａ  上板
Ｓ１Ｂ、Ｓ２Ｂ、Ｓ３Ｂ、Ｓ４Ｂ  下板
１０    蝶番
１０ａ  翼板
１１    蓋
１２    固定手段
１３    取っ手
【図１】
0003129686.tif 000003
【図２】
0003129686.tif 000004
【図３】
0003129686.tif 000005
【図４】
0003129686.tif 000006
【図５】
0003129686.tif 000007
【図６】
0003129686.tif 000008